(57)【要約】【課題】シンプルな構成で正しく閲覧の管理を行うことができる携帯表示装置及びその閲覧管理システムを提供する。【解決手段】装置本体に備えられたＧＰＳで装置本体の現在位置を検出して、装置本体が閲覧可能エリアから持ち出されことを検出する。装置本体が閲覧可能エリアから持ち出されたことが検出されると、表示部の表示及び記憶部に記録されている表示データが削除される。【選択図】  図３
2006227517.tif 000002
【特許請求の範囲】
【請求項１】
装置本体に備えられた電子ペーパに情報を表示する携帯表示装置において、
前記装置本体の現在位置を検出する位置検出手段と、
前記電子ペーパの閲覧可能エリアの情報が記録された閲覧可能エリア記憶手段と、
前記位置検出手段から現在位置情報を取得し、前記閲覧可能エリア記憶手段に記録された情報に基づいて、前記装置本体が前記閲覧可能エリアから持出されたことを検出する持出し検出手段と、
前記持出し検出手段で前記装置本体が前記閲覧可能エリアから持ち出されたことが検出されると、前記電子ペーパに表示されている情報を消去する表示消去手段と、
を備えたことを特徴とする携帯表示装置。
【請求項２】
前記電子ペーパに表示する情報が記録された表示情報記憶手段と、
前記持出し検出手段で前記装置本体が前記閲覧可能エリアから持ち出されたことが検出されると、前記表示情報記憶手段に記録されている情報を消去する記録消去手段と、
を備えたことを特徴とする請求項１に記載の携帯表示装置。
【請求項３】
前記持出し検出手段で前記装置本体が前記閲覧可能エリアから持ち出されたことが検出されると、警告を発する警告手段を備え、前記表示消去手段及び／又は前記記録消去手段は、前記警告手段による警告開始から一定期間経過後、消去の処理を実行することを特徴とする請求項１又は２に記載の携帯表示装置。
【請求項４】
所定の消去禁止情報を入力する入力手段を備え、前記警告手段による警告開始から一定期間以内に前記入力手段から前記消去禁止情報が入力されると、前記表示消去手段及び／又は前記記録消去手段は、消去処理を中止し、前記持出し検出手段は、検出処理を一定期間中止することを特徴とする請求項３に記載の携帯表示装置。
【請求項５】
電子ペーパに情報を表示する携帯表示装置と、該携帯表示装置との間で無線で情報の送受信を行い、前記携帯表示装置の電子ペーパに表示される情報の閲覧を管理する閲覧管理装置とからなる携帯表示装置の閲覧管理システムであって、
前記携帯表示装置に設けられ、前記携帯表示装置の現在位置を検出する位置検出手段と、
前記閲覧管理装置に設けられ、前記携帯表示装置に備えられた電子ペーパの閲覧可能エリアが記録された閲覧可能エリア記憶手段と、
前記閲覧管理装置に設けられ、前記携帯表示装置から前記位置検出手段で検出された現在位置情報を取得し、前記閲覧可能エリア記憶手段に記録された情報に基づいて、前記携帯表示装置が前記閲覧可能エリアから持出されたことを検出する持出し検出手段と、
前記閲覧管理装置に設けられ、前記持出し検出手段で前記携帯表示装置が前記閲覧可能エリアから持ち出されたことが検出されると、前記携帯表示装置に消去信号を出力する信号出力手段と、
前記携帯表示装置に設けられ、前記消去信号に応じて前記電子ペーパに表示されている情報を消去する表示消去手段と、
を備えたことを特徴とする携帯表示装置の閲覧管理システム。
【請求項６】
前記携帯表示装置に設けられ、前記電子ペーパに表示する情報が記録された表示情報記憶手段と、
前記携帯表示装置に設けられ、前記消去信号に応じて前記表示情報記憶手段に記録されている情報を消去する記録消去手段と、
を備えたことを特徴とする請求項５に記載の携帯表示装置の閲覧管理システム。
【請求項７】
前記携帯表示装置は、前記消去信号に応じて警告を発する警告手段を備え、前記表示消去手段及び／又は前記記録消去手段は、前記警告手段による警告開始から一定期間経過後、消去の処理を実行することを特徴とする請求項６又は７に記載の携帯表示装置の閲覧管理システム。
【請求項８】
前記携帯表示装置は、所定の消去禁止情報を入力する入力手段を備え、前記警告手段による警告開始から一定期間以内に前記入力手段から前記消去禁止情報が入力されると、前記表示消去手段及び／又は前記記録消去手段は、消去処理を中止し、前記持出し検出手段は、検出処理を一定期間中止することを特徴とする請求項７に記載の携帯表示装置の閲覧管理システム。
【発明の詳細な説明】
【技術分野】
【０００１】
本発明は、携帯表示装置及びその閲覧管理システムに係り、特に電子ペーパに情報を表示する携帯表示装置及びその閲覧管理システムに関する。
【背景技術】
【０００２】
情報通信技術の進化とともに、マン・マシンインタフェースとしてのハードコピーやソフトコピーの重要性がますます増大している。言うまでもなく、ハードコピーとは、プリンタ、ファクシミリ、複写機等によって紙に記録される情報を指し、ソフトコピーとは、ＣＲＴ、ＬＣＤ等のディスプレイに一時的に表示される情報のことである。近年これらハードコピーとソフトコピーの特徴を兼ね備えた新しいメディアとして、紙のように薄く、表示と消去が自由に行なえる電子ペーパが登場し、注目を集めている。この電子ペーパは、ＣＲＴやＬＣＤと比較して薄型・軽量であり、多少の曲げにも耐えられるという特質を有している。また、この電子ペーパには、表示内容の変更時、すなわち情報の記録及び消去時にのみ電力を必要とし、表示内容を無電力で維持する不揮発性のものがある。
【０００３】
ところで、図書館や官公庁が保有する書類や書籍などには、所定の場所で閲覧はできても、持ち出しが禁止されているものがある。このような書類等の無断持ち出しや盗難を防止する対策としては、書類等を壁面や机上に鎖等で繋ぐ方法があるが、この方法では書類等を閲覧する人々に煩わしさや不快感を与える。
【０００４】
そこで、特許文献１では、機密文書室に保管されている電子ペーパに無線タグを取り付けるとともに、機密文書室の出入口に無線タグリーダを設置し、無線タグリーダによって電子ペーパが外部に持ち出されたことが検知されると、電子ペーパに表示されている情報を自動で消去することが提案されている。
【０００５】
また、特許文献２では、特定の電波を受信する無線受信手段を表示装置に設け、その無線受信手段で特定の電波が受信不要になると、電子ペーパに表示されている情報が自動で消去することが提案されている。
【特許文献１】特開２００４−７８８０８号公報
【特許文献２】特開２００４−３７８２９号公報
【発明の開示】
【発明が解決しようとする課題】
【０００６】
しかしながら、特許文献１の閲覧管理のシステムでは、閲覧が機密文書室内に限定されてしまうため、機密文書室以外で閲覧することができないという欠点がある。
【０００７】
また、特許文献２の閲覧管理のシステムでは、閲覧可能エリアを厳密に規定することができないという欠点がある。また、電波の発信手段を各所に設置しなければならず、システムが大掛かりになるという欠点がある。
【０００８】
本発明は、このような事情に鑑みてなされたもので、シンプルな構成で正しく閲覧の管理を行うことができる携帯表示装置及びその閲覧管理システムを提供することを目的とする。
【課題を解決するための手段】
【０００９】
本発明は、前記目的を達成するために、装置本体に備えられた電子ペーパに情報を表示する携帯表示装置において、前記装置本体の現在位置を検出する位置検出手段と、前記電子ペーパの閲覧可能エリアの情報が記録された閲覧可能エリア記憶手段と、前記位置検出手段から現在位置情報を取得し、前記閲覧可能エリア記憶手段に記録された情報に基づいて、前記装置本体が前記閲覧可能エリアから持出されたことを検出する持出し検出手段と、前記持出し検出手段で前記装置本体が前記閲覧可能エリアから持ち出されたことが検出されると、前記電子ペーパに表示されている情報を消去する表示消去手段と、を備えたことを特徴とする。
【００１０】
本発明によれば、装置本体の現在位置が検出され、検出された現在位置情報に基づいて装置本体が閲覧可能エリアから持ち出されたことを検出する。そして、装置本体が持ち出されたことが検出されると、電子ペーパに表示されている情報が消去される。
【００１１】
また、本発明は、前記目的を達成するために、前記電子ペーパに表示する情報が記録された表示情報記憶手段と、前記持出し検出手段で前記装置本体が前記閲覧可能エリアから持ち出されたことが検出されると、前記表示情報記憶手段に記録されている情報を消去する記録消去手段と、を備えたことを特徴とする。
【００１２】
本発明によれば、装置本体が閲覧可能エリアから持ち出されたことが検出されると、表示情報記憶手段に記録されている情報が消去される。
【００１３】
また、本発明は、前記目的を達成するために、前記持出し検出手段で前記装置本体が前記閲覧可能エリアから持ち出されたことが検出されると、警告を発する警告手段を備え、前記表示消去手段及び／又は前記記録消去手段は、前記警告手段による警告開始から一定期間経過後、消去の処理を実行することを特徴とする。
【００１４】
本発明によれば、装置本体が閲覧可能エリアから持ち出されたことが検出されると、警告が発せられる。そして、その警告開始から一定期間経過後に電子ペーパに表示されている情報及び／又は表示情報記憶手段に記録されている情報が消去される。
【００１５】
また、本発明は、前記目的を達成するために、所定の消去禁止情報を入力する入力手段を備え、前記警告手段による警告開始から一定期間以内に前記入力手段から前記消去禁止情報が入力されると、前記表示消去手段及び／又は前記記録消去手段は、消去処理を中止し、前記持出し検出手段は、検出処理を一定期間中止することを特徴とする。
【００１６】
本発明によれば、警告開始から一定期間以内に所定の消去禁止情報が入力手段から入力されると、電子ペーパに表示されている情報及び／又は表示情報記憶手段に記録されている情報の消去処理が中止される。そして、持ち出しの検出が一定期間中止される。すなわち、所定の消去禁止情報を入力すれば、一定期間、閲覧可能エリア以外のエリアで閲覧が可能になる。
【００１７】
また、本発明は、前記目的を達成するために、電子ペーパに情報を表示する携帯表示装置と、該携帯表示装置との間で無線で情報の送受信を行い、前記携帯表示装置の電子ペーパに表示される情報の閲覧を管理する閲覧管理装置とからなる携帯表示装置の閲覧管理システムであって、前記携帯表示装置に設けられ、前記携帯表示装置の現在位置を検出する位置検出手段と、前記閲覧管理装置に設けられ、前記携帯表示装置に備えられた電子ペーパの閲覧可能エリアが記録された閲覧可能エリア記憶手段と、前記閲覧管理装置に設けられ、前記携帯表示装置から前記位置検出手段で検出された現在位置情報を取得し、前記閲覧可能エリア記憶手段に記録された情報に基づいて、前記携帯表示装置が前記閲覧可能エリアから持出されたことを検出する持出し検出手段と、前記閲覧管理装置に設けられ、前記持出し検出手段で前記携帯表示装置が前記閲覧可能エリアから持ち出されたことが検出されると、前記携帯表示装置に消去信号を出力する信号出力手段と、前記携帯表示装置に設けられ、前記消去信号に応じて前記電子ペーパに表示されている情報を消去する表示消去手段と、を備えたことを特徴とする。
【００１８】
本発明によれば、携帯表示装置に備えられた位置検出手段によって携帯表示装置の現在位置が検出される。閲覧管理装置は、位置検出手段で検出された携帯表示装置の現在位置情報に基づいて携帯表示装置が閲覧可能エリアから持ち出されたことを検出する。そして、携帯表示装置が閲覧可能エリア外に持ち出されたことを検出すると、消去信号を出力する。携帯表示装置の表示消去手段は、この消去信号を受けて電子ペーパに表示されている情報を消去する。
【００１９】
また、本発明は、前記目的を達成するために、前記携帯表示装置に設けられ、前記電子ペーパに表示する情報が記録された表示情報記憶手段と、前記携帯表示装置に設けられ、前記消去信号に応じて前記表示情報記憶手段に記録されている情報を消去する記録消去手段と、を備えたことを特徴とする。
【００２０】
本発明によれば、携帯表示装置が閲覧可能エリアから持ち出されたことが検出されると、表示情報記憶手段に記録されている情報が消去される。
【００２１】
また、本発明は、前記目的を達成するために、前記携帯表示装置は、前記消去信号に応じて警告を発する警告手段を備え、前記表示消去手段及び／又は前記記録消去手段は、前記警告手段による警告開始から一定期間経過後、消去の処理を実行することを特徴とする。
【００２２】
本発明によれば、装置本体が閲覧可能エリアから持ち出されたことが検出されると、警告が発せられる。そして、その警告開始から一定期間経過後に電子ペーパに表示されている情報及び／又は表示情報記憶手段に記録されている情報が消去される。
【００２３】
また、本発明は、前記目的を達成するために、前記携帯表示装置は、所定の消去禁止情報を入力する入力手段を備え、前記警告手段による警告開始から一定期間以内に前記入力手段から前記消去禁止情報が入力されると、前記表示消去手段及び／又は前記記録消去手段は、消去処理を中止し、前記持出し検出手段は、検出処理を一定期間中止することを特徴とする。
【００２４】
本発明によれば、警告開始から一定期間以内に所定の消去禁止情報が入力手段から入力されると、電子ペーパに表示されている情報及び／又は表示情報記憶手段に記録されている情報の消去処理が中止される。そして、持ち出しの検出が一定期間中止される。
【発明の効果】
【００２５】
本発明に係る携帯表示装置及びその閲覧管理システムによれば、シンプルな構成で正しく閲覧の管理を行うことができる。
【発明を実施するための最良の形態】
【００２６】
以下、添付図面に従って本発明に係る携帯表示装置及びその閲覧管理システムを実施するための最良の形態について詳説する。
【００２７】
＜第１の実施の形態＞
図１は、本発明が適用された携帯表示装置の外観構成を示す斜視図である。同図に示すように、この携帯表示装置１０の装置本体１２は矩形の板状に形成されており、その上面に電子ペーパからなる表示部１４が設けられている。表示部１４の下側には、複数の操作ボタンからなる操作部１６が設けられており、また、装置本体１２の右側面には、外部接続端子１８とカードスロット２０とが設けられている。外部接続端子１８には、ＰＣ等の外部機器と接続するためのケーブル２２が接続され、カードスロット２０にはメモリカード２４が装填される。
【００２８】
図２は、図１に示した携帯表示装置１０の電気的構成を示すブロック図である。同図に示すように、携帯表示装置１０は、主として制御部２６、表示部１４、操作部１６、記憶部２８、ＧＰＳ３０、タイマ３２、カードリーダ３４、通信部３６で構成されている。
【００２９】
制御部２６は、ＣＰＵ、ＲＡＭ、ＲＯＭ等を備えており、所定の制御プログラムに従って携帯表示装置全体の動作を統括制御する。
【００３０】
表示部１４は、上記のように電子ペーパで構成されている。この表示部１４は、制御部２６による制御の下、その表示面に所定の情報を表示し、また、その表示面に表示された情報を消去する。なお、電子ペーパ自体は公知のものであるので、ここではその具体的な構成についての説明は省略する。
【００３１】
記憶部２８は、フラッシュＲＯＭ等の不揮発性メモリで構成されており、制御部２６による制御の下、所定のデータの記録／消去を行う。この記憶部２８には、表示部１４に表示するための「表示データ」が格納されるとともに、その表示データの閲覧可能なエリアを規定する「閲覧可能エリアデータ」が格納される。この閲覧可能エリアデータは、閲覧可能な範囲が緯度と経度の情報で規定されている。
【００３２】
ＧＰＳ３０は、アンテナを含み、制御部２６による制御の下、ＧＰＳ衛星からの電波を受信し、その受信電波を解析して装置本体１２の現在位置（緯度と経度）を検出する。そして、取得した位置情報を制御部２６に出力する。
【００３３】
タイマ３２は、制御部２６による制御の下、現在日時を計時し、計時した日時情報を制御部２６に出力する。
【００３４】
カードリーダ３４は、制御部２６の制御の下、カードスロット２０に装填されたメモリカード２４からデータの読み出しを行う。
【００３５】
通信部３６は、制御部２６の制御の下、外部接続端子１８にケーブル２２を介して接続されたＰＣ等の外部機器との間でデータの送受信を行う。
【００３６】
次に、以上のように構成された本実施の形態の携帯表示装置１０の作用について説明する。
【００３７】
携帯表示装置１０の表示部１４に表示する情報、及び、その閲覧可能エリアの情報は、外部接続端子１８にケーブル２２を介して接続されたＰＣ等の外部機器、又は、カードスロット２０に装填されたメモリカード２４から取得する。取得した表示用の情報は、表示データとして、記憶部２８の所定の記憶領域に格納され、閲覧可能エリアの情報は、閲覧可能エリアデータとして、記憶部２８の所定の記憶領域に格納される。
【００３８】
記憶部２８に格納された表示データは、操作部１６で所定の表示操作を行うことにより、記憶部２８から読み出され、表示部１４に表示される。表示部１４に表示された情報は無電力で維持され、装置本体１２が閲覧可能エリア外に持ち出されると、記憶部２８に記憶された表示データと共に自動的に消去される。
【００３９】
図３は、表示部１４の表示及び記憶部２８の表示データを消去する場合の携帯表示装置１０の処理動作の手順を示すフローチャートである。
【００４０】
まず、制御部２６は、ＧＰＳ３０から装置本体１２の現在位置（緯度・経度）情報を取得する（ステップＳ１０）。そして、記憶部２８に格納されている閲覧可能エリアデータを参照し、装置本体１２の現在位置が、閲覧可能エリア内にあるか否か判定する（ステップＳ１１）。
【００４１】
装置本体１２が閲覧可能エリア内にあると判定すると、制御部２６は、表示部１４の表示及び記憶部２８の表示データを保持する（ステップＳ１２）。この後、制御部２６は、操作部１６で所定の表示データの消去の操作が行われたか否かを判定し（ステップＳ１３）、消去の操作が行われたと判定すると、表示部１４に表示されている情報を消去するとともに、記憶部２８に記録されている表示データを消去して（ステップＳ１４）、処理を終了する。
【００４２】
一方、消去の操作が行われていないと判定すると、ステップＳ１０に戻り、再度ＧＰＳ３０から装置本体１２の現在位置情報を取得し、装置本体１２の現在位置が、閲覧可能エリア内にあるか否か判定する（ステップＳ１１）。
【００４３】
また、ステップＳ１１において、装置本体１２が閲覧可能エリア内にないと判定すると、制御部２６は、表示部１４に表示されている情報を消去するとともに、記憶部２８に記録されている表示データを消去して（ステップＳ１４）、処理を終了する。
【００４４】
このように本実施の形態の携帯表示装置１０によれば、あらかじめ規定された閲覧可能エリアの外に装置本体１２が持ち出されると、自動的に表示部１４に表示されている情報及び記憶部２８に記録されている表示データが消去されるため、高いセキュリティ性をもって携帯表示装置１０の閲覧を管理することができる。
【００４５】
また、ＧＰＳデータを利用しているので、必要な範囲に限って厳密に閲覧可能エリアを規定することができ、正確に閲覧管理を行うことができる。
【００４６】
さらに、複数の携帯表示装置がある場合であっても個別に閲覧可能エリアを設定することができ、用途や重要度に応じた閲覧の管理を行うことが可能になる。
【００４７】
また、携帯表示装置１０に備えられたＧＰＳ以外に別途持ち出しの検出システムを設置する必要がないので、シンプルなシステムを構築することができる。
【００４８】
なお、本実施の形態では、緯度と経度の情報で閲覧可能エリアを規定するようにしているが、さらに高度情報を付加して閲覧可能エリアを規定するようにしてもよい。これにより、さらに詳細に閲覧可能エリアを規定することができる。
【００４９】
また、本実施の形態では、装置本体１２が閲覧可能エリアの外に持ち出されると、すぐに表示部１４の表示及び記憶部２８の表示データが消去されるようにされているが、警告を行ってから一定時間経過後に消去するようにしてもよい。この場合、警告後、一定時間以内に閲覧可能エリアに戻れば、表示及びデータの消去は維持される。
【００５０】
図４は、警告後に表示部の表示及び記憶部の表示データを消去する場合の携帯表示装置１０の処理の手順を示すフローチャートである。
【００５１】
まず、制御部２６は、ＧＰＳ３０から装置本体１２の現在位置情報を取得する（ステップＳ２０）。そして、記憶部２８に格納されている閲覧可能エリアデータを参照し、装置本体１２の現在位置が、閲覧可能エリア内にあるか否か判定する（ステップＳ２１）。
【００５２】
装置本体１２が閲覧可能エリア内にあると判定すると、制御部２６は、表示部１４の表示及び記憶部２８の表示データを保持し、操作部１６で所定の表示データの消去の操作が行われたか否かを判定する（ステップＳ２７）。そして、消去の操作が行われたと判定すると、表示部１４に表示されている情報を消去するとともに、記憶部２８に記録されている表示データを消去して（ステップＳ２８）、処理を終了する。また、消去の操作が行われていないと判定すると、ステップＳ２０に戻り、再度ＧＰＳ３０から装置本体１２の現在位置情報を取得し（ステップＳ２０）、装置本体１２の現在位置が、閲覧可能エリア内にあるか否か判定する（ステップＳ２１）。
【００５３】
ステップＳ２１で装置本体１２が閲覧可能エリア内にないと判定すると、制御部２６は、警告を行う（ステップＳ２２）。
【００５４】
ここで、警告は、所定の警告メッセージ（たとえば、「注意！６０秒以内に閲覧可能エリアに戻されない場合、データが消去されます！」）を表示部１４に表示することにより行われる。なお、警告方法は、これに限定されるものではない。装置本体１２にアラームや音声出力機能が備えられている場合には、警告メッセージの表示と同時又は単独でアラーム又は音声を鳴らすようにしてもよい。また、バイブレーション機能が備えられている場合には、警告メッセージの表示と同時又は単独でバイブレーション機能を作動させるようにしてもよい。さらに、ＬＥＤ等の警告ランプが備えられている場合には、警告メッセージの表示と同時に又は単独で警告ランプを発光／点滅させるようにしてもよい。
【００５５】
このように、装置本体１２が閲覧可能エリアの外に持ち出されたことが検出されると、制御部２６は警告を行う。この警告と同時にタイマ３２は警告開始からの経過時間を計時する。制御部２６は、このタイマ３２からの出力に基づいて警告開始から一定時間（たとえば６０秒）が経過したか否かを判定する（ステップＳ２３）。そして、一定時間が経過したと判定すると、再度、ＧＰＳ３０から装置本体１２の現在位置情報を取得し（ステップＳ２４）、装置本体１２の現在位置が、閲覧可能エリア内にあるか否か判定する（ステップＳ２５）。
【００５６】
この判定で装置本体１２が閲覧可能エリア内にあると判定すると、制御部２６は、警告を解除し（ステップＳ２６）、表示部１４の表示を元に戻す。この後、制御部２６は、操作部１６で所定の表示データの消去の操作が行われたか否かを判定し（ステップＳ２７）、消去の操作が行われたと判定すると、表示部１４に表示されている情報を消去するとともに、記憶部２８に記録されている表示データを消去して（ステップＳ２８）、処理を終了する。
【００５７】
一方、消去の操作が行われていないと判定すると、ステップＳ２０に戻り、再度ＧＰＳ３０から装置本体１２の現在位置情報を取得し（ステップＳ２０）、装置本体１２の現在位置が、閲覧可能エリア内にあるか否か判定する（ステップＳ２１）。
【００５８】
また、ステップＳ２５において、装置本体１２が閲覧可能エリア内にないと判定すると、制御部２６は、表示部１４に表示されている情報を消去するとともに、記憶部２８に記録されている表示データを消去し（ステップＳ２８）、処理を終了する。
【００５９】
このように、警告を行った後、表示及びデータの消去を行うことにより、誤って閲覧可能エリアから出てしまった場合であっても、データが消去されてしまうのを防ぐことができる。
【００６０】
なお、本実施の形態では、警告後、所定時間内に閲覧可能エリアに戻ると、警告が解除されるようにしているが、所定の警告解除の操作を行って、警告を解除するようにしてもよい。たとえば、警告後、所定のパスワードを入力すると、警告が解除されるようにしてもよい。
【００６１】
図５は、パスワード入力によって警告を解除する場合の携帯表示装置の処理動作の手順を示すフローチャートである。
【００６２】
まず、制御部２６は、ＧＰＳ３０から装置本体１２の現在位置情報を取得する（ステップＳ３０）。そして、記憶部２８に格納されている閲覧可能エリアデータを参照し、装置本体１２の現在位置が、閲覧可能エリア内にあるか否か判定する（ステップＳ３１）。
【００６３】
装置本体１２が閲覧可能エリア内にあると判定すると、制御部２６は、表示部１４の表示及び記憶部２８の表示データを保持し、操作部１６で所定の表示データの消去の操作が行われたか否かを判定する（ステップＳ３２）。そして、消去の操作が行われたと判定すると、表示部１４に表示されている情報を消去するとともに、記憶部２８に記録されている表示データを消去して（ステップＳ３７）、処理を終了する。また、消去の操作が行われていないと判定すると、ステップＳ３０に戻り、再度ＧＰＳ３０から装置本体１２の現在位置情報を取得し（ステップＳ３０）、装置本体１２の現在位置が、閲覧可能エリア内にあるか否か判定する（ステップＳ３１）。
【００６４】
一方、ステップＳ３１で装置本体１２が閲覧可能エリア内にないと判定すると、制御部２６は、警告を行う（ステップＳ３３）。ここで、警告は、所定の警告メッセージ（たとえば、「パスワードを入力してください！」）を表示部１４に表示することにより行われる。なお、警告方法は、これに限定されるものではなく、上記同様にアラーム、バイブレーション、警告ランプ等で警告するようにしてもよい。
【００６５】
ユーザは、この警告を受けて、操作部１６を操作して、警告を解除するための所定のパスワードを入力する（ステップＳ３４）。制御部２６は、操作部１６から入力されたパスワードが、あらかじめ設定されたパスワードと一致するか否か判定する（ステップＳ３５）。そして、入力されたパスワードが、あらかじめ設定されたパスワードと一致すると判定すると、制御部２６は警告を解除し（ステップＳ３６）、表示部１４の表示を元に戻して、処理を終了する。なお、パスワードは、あらかじめ記憶部２８に記録しておくものとする。
【００６６】
一方、入力されたパスワードが、あらかじめ設定されたパスワードと一致しないと判定すると、制御部２６は、表示部１４に表示されている情報を消去するとともに、記憶部２８に記録されている表示データを消去し（ステップＳ３７）、処理を終了する。
【００６７】
このように、所定のパスワードの入力により警告を解除するようにしてもよい。これにより、必要に応じて閲覧可能エリア外に携帯表示装置を持ち出すことができるようになり、使い勝手がさらに向上する。
【００６８】
なお、警告を解除した場合、一定時間に限って携帯表示装置１０を閲覧可能エリアの外に持ち出せるようにしてもよい。すなわち、警告解除後、一定時間のみ持ち出しの検出機能を停止する。そして、一定時間経過後に再度持ち出しの検出機能を作動させ、閲覧可能エリアの外に持ち出されているか検出するように構成する。
【００６９】
図６は、警告を解除した後、一定時間に限って携帯表示装置１０を閲覧可能エリアの外に持ち出せるようにする場合の携帯表示装置の動作の処理の手順を示すフローチャートである。
【００７０】
まず、制御部２６は、ＧＰＳ３０から装置本体１２の現在位置情報を取得する（ステップＳ４０）。そして、記憶部２８に格納されている閲覧可能エリアデータを参照し、装置本体１２の現在位置が、閲覧可能エリア内にあるか否か判定する（ステップＳ４１）。
【００７１】
装置本体１２が閲覧可能エリア内にあると判定すると、制御部２６は、表示部１４の表示及び記憶部２８の表示データを保持し、操作部１６で所定の表示データの消去の操作が行われたか否かを判定する（ステップＳ４２）。そして、消去の操作が行われたと判定すると、表示部１４に表示されている情報を消去するとともに、記憶部２８に記録されている表示データを消去して（ステップＳ４８）、処理を終了する。また、消去の操作が行われていないと判定すると、ステップＳ４０に戻り、再度ＧＰＳ３０から装置本体１２の現在位置情報を取得し（ステップＳ４０）、装置本体１２の現在位置が、閲覧可能エリア内にあるか否か判定する（ステップＳ４１）。
【００７２】
一方、ステップＳ４１で装置本体１２が閲覧可能エリア内にないと判定すると、制御部２６は、警告を行う（ステップＳ４３）。ここで、警告は、所定の警告メッセージ（たとえば、「パスワードを入力してください！」）を表示部１４に表示することにより行われる。
【００７３】
ユーザは、この警告を受けて、操作部１６を操作して、警告を解除するための所定のパスワードを入力する（ステップＳ４４）。制御部２６は、操作部１６から入力されたパスワードが、あらかじめ設定されたパスワードと一致するか否か判定する（ステップＳ４５）。
【００７４】
入力されたパスワードが、あらかじめ設定されたパスワードと一致しないと判定すると、制御部２６は、表示部１４に表示されている情報を消去するとともに、記憶部２８に記録されている表示データを消去し（ステップＳ４８）、処理を終了する。
【００７５】
一方、入力されたパスワードが、あらかじめ設定されたパスワードと一致すると判定すると、制御部２６は、警告を解除し（ステップＳ４６）、表示部１４の表示を元に戻す。この警告解除と同時にタイマ３２は、警告解除からの経過時間を計時する。制御部２６は、このタイマ３２からの出力に基づいて警告解除から一定時間（たとえば２４時間）が経過したか否かを判定する（ステップＳ４７）。そして、一定時間が経過したと判定すると、ステップＳ４０の処理に戻り、再度ＧＰＳ３０から装置本体１２の現在位置情報を取得し（ステップＳ４０）、装置本体１２の現在位置が閲覧可能エリア内にあるか否か判定する（ステップＳ４１）。
【００７６】
このように、警告解除後、一定期間に限って閲覧可能エリア外への携帯表示装置１０の持ち出しを可能にすることにより、使い勝手の向上を図りつつ、高いセキュリティ性を確保することができる。
【００７７】
なお、この場合において、警告を解除できる回数を限るようにしてもよい。すなわち、警告を解除した回数をカウントし、一定回数（たとえば３回）警告を解除したら、それ以後の警告解除は行うことができないようにする。これにより、高いセキュリティ性を確保することができる。
【００７８】
＜第２の実施の形態＞
本実施の形態では、携帯表示装置の閲覧を専用の管理サーバで管理する。図７は、このシステムの構成図である。同図に示すように、この閲覧管理システムは、携帯表示装置１００と、その携帯表示装置１００との間で無線で情報の送受信を行い、携帯表示装置１００の表示部に表示される情報の閲覧を管理する閲覧管理サーバ２００とで構成される。
【００７９】
図８は携帯表示装置１００と閲覧管理サーバ２００の電気的構成を示すブロック図である。
【００８０】
携帯表示装置１００は、通信部が無線通信部１０２で構成されている以外の点は基本的に上述した第１の実施の形態の携帯表示装置１０と同じである。したがって、上述した第１の実施の形態の携帯表示装置１００と同じ構成部材には、同じ符号を付してその説明は省略する。なお、閲覧の管理は、閲覧管理サーバ２００で行われることから、記憶部２８に閲覧可能エリアデータは格納されない。
【００８１】
一方、閲覧管理サーバ２００は、一般的なサーバコンピュータの構成と同じであり、全体を統括制御するＣＰＵ２０２、ＣＰＵ２０２の作業領域となるＲＡＭ２０４、ＣＰＵ２０２が処理する制御プログラム等が記録されたＲＯＭ２０６、閲覧可能エリアデータ等が記録されたハードディスク装置（ＨＤＤ）２０８、ＣＤ−ＲＯＭを読み取るＣＤ−ＲＯＭ装置２１０、携帯表示装置１００の無線通信部と無線で情報の送受信を行う無線通信部２１２等を備えてなる。
【００８２】
なお、携帯表示装置１００の無線通信部１０２と閲覧管理サーバ２００の無線通信部２１２には公知の無線通信手段を用いるものとし、たとえば、無線ＬＡＮによって相互に情報の送受信を行う。この他、携帯電話通信網を利用して相互に情報の送受信を行うようにしてもよい。
【００８３】
次に、以上のように構成された本実施の形態の閲覧管理システムの作用について説明する。
【００８４】
図９は本実施の形態の閲覧管理システムの動作処理の手順を示すフローチャートである。
【００８５】
まず、携帯表示装置１００の制御部２６は、ＧＰＳ３０から装置本体１２の現在位置（緯度・経度）情報を取得する（ステップＳ５０）。そして、取得した現在位置情報を閲覧管理サーバ２００に送信する（ステップＳ５１）。閲覧管理サーバ２００は、携帯表示装置１００から送られた現在位置情報を受信する（ステップＳ５２）。そして、ＨＤＤ２０８に格納されている閲覧可能エリアデータを参照し、携帯表示装置１００が、閲覧可能エリア内にあるか否か判定する（ステップＳ５３）。
【００８６】
携帯表示装置１００が閲覧可能エリア内にあると判定すると、閲覧管理サーバ２００は、携帯表示装置１００にデータ保持指令を送信する（ステップＳ５４）。携帯表示装置１００は、このデータ保持指令を受信する（ステップＳ５５）。データ保持指令が受信された場合、携帯表示装置１００の表示部１４に表示される情報及び記憶部２８に記録されている表示データは維持され、ステップＳ５０に戻る。
【００８７】
一方、携帯表示装置１００が閲覧可能エリア内にないと判定すると、閲覧管理サーバ２００は、携帯表示装置１００にデータ消去指令を送信する（ステップＳ５６）。携帯表示装置１００は、このデータ消去指令を受信する（ステップＳ５７）。データ消去指令を受信すると、携帯表示装置１００の制御部２６は、表示部１４に表示されている情報を消去するとともに、記憶部２８に記録されている表示データを消去し（ステップＳ５８）、処理を終了する。
【００８８】
このように本実施の形態の閲覧管理システムによれば、上記第１の実施の形態の携帯表示装置１０と同様に、携帯表示装置１００が閲覧可能エリアの外に持ち出されると、自動的に表示部１４に表示されている情報及び記憶部２８に記録されている表示データが消去される。これにより、高いセキュリティ性を保って携帯表示装置１００の閲覧を管理することができる。
【００８９】
次に、警告後一定時間内に携帯表示装置１００が閲覧可能エリアに戻されない場合に携帯表示装置１００の表示及びデータを消去する場合の処理について説明する。
【００９０】
図１０は、警告後に携帯表示装置１００の表示部の表示及び記憶部の表示データを消去する場合の処理の手順を示すフローチャートである。
【００９１】
まず、携帯表示装置１００の制御部２６は、ＧＰＳ３０から装置本体１２の現在位置（緯度・経度）情報を取得する（ステップＳ６０）。そして、取得した現在位置情報を閲覧管理サーバ２００に送信する（ステップＳ６１）。閲覧管理サーバ２００は、携帯表示装置１００から送られた現在位置情報を受信する（ステップＳ６２）。そして、ＨＤＤ２０８に格納されている閲覧可能エリアデータを参照し、携帯表示装置１００が、閲覧可能エリア内にあるか否か判定する（ステップＳ６３）。
【００９２】
携帯表示装置１００が閲覧可能エリア内にあると判定すると、閲覧管理サーバ２００は、携帯表示装置１００にデータ保持指令を送信する（ステップＳ６４）。携帯表示装置１００は、このデータ保持指令を受信する（ステップＳ６５）。データ保持指令が受信された場合、携帯表示装置１００の表示部１４に表示される情報及び記憶部２８に記録されている表示データは維持され、ステップＳ６０に戻る。
【００９３】
一方、携帯表示装置１００が閲覧可能エリア内にないと判定すると、閲覧管理サーバ２００は、携帯表示装置１００に警告令を送信する（ステップＳ６６）。携帯表示装置１００は、この警告指令を受信して（ステップＳ６７）、警告を行う（ステップＳ６８）。
【００９４】
なお、ここでの警告は、上記第１の実施の形態の携帯表示装置１０と同様に所定の警告メッセージ（たとえば、「注意！６０秒以内に閲覧可能エリアに戻されない場合、データが消去されます！」）を表示部１４に表示することにより行われる。また、上記第１の実施の形態の携帯表示装置１０と同様に警告方法はこれに限定されるものではなく、アラームや音声、バイブレーション、警告ランプ等を併用してもよい。
【００９５】
携帯表示装置１００のタイマ３２は、この警告開始と同時に警告開始からの経過時間を計時する。携帯表示装置１００の制御部２６は、このタイマ３２からの出力に基づいて警告開始から一定時間（たとえば６０秒）が経過したか否かを判定する（ステップＳ６９）。そして、一定時間が経過したと判定すると、再度、ＧＰＳ３０から装置本体１２の現在位置（緯度・経度）情報を取得する（ステップＳ７０）。そして、取得した現在位置情報を閲覧管理サーバ２００に送信する（ステップＳ７１）。
【００９６】
閲覧管理サーバ２００は、携帯表示装置１００から送られた現在位置情報を受信する（ステップＳ７２）。そして、ＨＤＤ２０８に格納されている閲覧可能エリアデータを参照し、携帯表示装置１００が、閲覧可能エリア内にあるか否か判定する（ステップＳ７３）。
【００９７】
この判定で装置本体１２が閲覧可能エリア内にあると判定すると、閲覧管理サーバ２００は携帯表示装置１００に警告解除指令を送信する（ステップＳ７４）。携帯表示装置１００は、この警告解除指令を受信して（ステップＳ７５）、警告を解除し（ステップＳ７６）、表示部１４の表示を元に戻す。この後、ステップＳ６０に戻り、上記の検出処理を再度実行する。
【００９８】
一方、ステップＳ７３の判定処理で装置本体１２が閲覧可能エリア内にないと判定すると、閲覧管理サーバ２００は、携帯表示装置１００にデータ消去指令を送信する（ステップＳ７７）。携帯表示装置１００は、このデータ消去指令を受信する（ステップＳ７８）。データ消去指令を受信すると、携帯表示装置１００の制御部２６は、表示部１４に表示されている情報を消去するとともに、記憶部２８に記録されている表示データを消去し（ステップＳ７９）、処理を終了する。
【００９９】
このように、警告を行った後、表示及びデータの消去を行うことにより、誤って閲覧可能エリアから出てしまった場合であっても、データが消去されてしまうのを防ぐことができる。
【０１００】
次に、警告後、正確なパスワードが入力されると警告を解除する場合の例について説明する。
【０１０１】
図１１は、パスワード入力によって警告を解除する場合の処理動作の手順を示すフローチャートである。
【０１０２】
まず、携帯表示装置１００の制御部２６は、ＧＰＳ３０から装置本体１２の現在位置（緯度・経度）情報を取得する（ステップＳ８０）。そして、取得した現在位置情報を閲覧管理サーバ２００に送信する（ステップＳ８１）。閲覧管理サーバ２００は、携帯表示装置１００から送られた現在位置情報を受信する（ステップＳ８２）。そして、ＨＤＤ２０８に格納されている閲覧可能エリアデータを参照し、携帯表示装置１００が、閲覧可能エリア内にあるか否か判定する（ステップＳ８３）。
【０１０３】
携帯表示装置１００が閲覧可能エリア内にあると判定すると、閲覧管理サーバ２００は、携帯表示装置１００にデータ保持指令を送信する（ステップＳ８４）。携帯表示装置１００は、このデータ保持指令を受信する（ステップＳ８５）。データ保持指令が受信された場合、携帯表示装置１００の表示部１４に表示される情報及び記憶部２８に記録されている表示データは維持され、ステップＳ８０に戻る。
【０１０４】
一方、携帯表示装置１００が閲覧可能エリア内にないと判定すると、閲覧管理サーバ２００は、携帯表示装置１００に警告令を送信する（ステップＳ８６）。携帯表示装置１００は、この警告指令を受信して（ステップＳ８７）、警告を行う（ステップＳ８８）。
【０１０５】
なお、ここでの警告は、上記第１の実施の形態の携帯表示装置１０と同様に所定の警告メッセージ（たとえば、「パスワードを入力してください！」）を表示部１４に表示することにより行われる。また、上記第１の実施の形態の携帯表示装置１０と同様に警告方法はこれに限定されるものではなく、アラームや音声、バイブレーション、警告ランプ等を併用してもよい。
【０１０６】
ユーザは、この警告を受けて操作部１６からパスワードを入力する（ステップＳ８９）。携帯表示装置１００は、入力されたパスワードを閲覧管理サーバ２００に送信する（ステップＳ９０）。
【０１０７】
閲覧管理サーバ２００は、この携帯表示装置１００から送信されたパスワードを受信し（ステップＳ９１）、受信したパスワードが、あらかじめ設定されたパスワードと一致するか否か判定する（ステップＳ９２）。なお、このパスワードは、あらかじめＨＤＤ２０８に記録しておくものとする。
【０１０８】
パスワードが一致した場合は、携帯表示装置１００に警告解除指令を送信する（ステップＳ９３）。携帯表示装置１００は、この警告解除指令を受信して（ステップＳ９４）、警告を解除し（ステップＳ９５）、表示部１４の表示を元に戻す。
【０１０９】
また、携帯表示装置１００のタイマ３２は、この警告解除と同時に警告解除からの経過時間を計時する。携帯表示装置１００の制御部２６は、このタイマ３２からの出力に基づいて警告解除から一定時間（たとえば２４時間）が経過したか否かを判定する（ステップＳ９６）。そして、一定時間が経過したと判定すると、ステップＳ８０に戻り、再度、上記の持ち出しの検出処理を実行する。
【０１１０】
一方、パスワードが一致しない場合、閲覧管理サーバ２００は、携帯表示装置１００にデータ消去指令を送信する（ステップＳ９７）。携帯表示装置１００は、このデータ消去指令を受信する（ステップＳ９８）。データ消去指令を受信すると、携帯表示装置１００の制御部２６は、表示部１４に表示されている情報を消去するとともに、記憶部２８に記録されている表示データを消去し（ステップＳ９９）、処理を終了する。
【０１１１】
このように、警告を行った後、パスワードの入力によって表示及びデータの消去を行うか否かを判断するようにしてもよい。これにより、上記同様に誤って閲覧可能エリアから出てしまった場合であっても、データが消去されてしまうのを防ぐことができる。
【０１１２】
なお、本例では警告解除後一定時間経過すると、再度持ち出しの検出処理を行うようにしているが、解除後は持ち出しの検出処理を行わないようにしてもよい。
【０１１３】
また、本例では、何度でも警告を解除できるようにしているが、警告を解除できる回数を限定するようにしてもよい。
【０１１４】
なお、本実施の形態のように閲覧管理サーバ２００で携帯表示装置１００の閲覧を管理することにより、複数の携帯表示装置１００がある場合に全ての携帯表示装置１００の閲覧状況を閲覧管理サーバ２００で一元管理することができるようになり、管理が容易になる。
【０１１５】
なお、複数の携帯表示装置１００を管理する場合には、各携帯表示装置ごとに個別に閲覧管理エリアを設置することが好ましい。
【０１１６】
また、上述した実施の形態の携帯表示装置１０、１００は、表示データを格納する記憶部２８を備え、表示部１４に表示する情報の切り替えを可能にしているが、切り替え機能のない携帯表示装置にも本発明は適用することができる。この場合、表示部の表示を切り替えるには、新たに外部から表示用のデータを入力する必要がある。したがって、この場合、表示部への警告表示は行わず、アラームや音声による警報、振動、警告ランプ、他の表示手段等で警告を行う。
【０１１７】
また、上述した実施の形態の携帯表示措置１０、１００は、表示部１４が１枚の電子ペーパで構成されているが、複数の電子ペーパが冊子状になった携帯表示手段にも本発明は適用することができる。
【図面の簡単な説明】
【０１１８】
【図１】本発明が適用された携帯表示装置の外観構成を示す斜視図
【図２】携帯表示装置の電気的構成を示すブロック図
【図３】表示部の表示及び記憶部の表示データを消去する場合の携帯表示装置の処理動作の手順を示すフローチャート
【図４】警告後に表示部の表示及び記憶部の表示データを消去する場合の処理の携帯表示装置の手順を示すフローチャート
【図５】パスワード入力によって警告を解除する場合の携帯表示装置の処理動作の手順を示すフローチャート
【図６】警告を解除した後、一定時間に限って携帯表示装置を閲覧可能エリアの外に持ち出せるようにする場合の携帯表示装置の動作の処理の手順を示すフローチャート
【図７】携帯表示装置の閲覧管理システムの構成図
【図８】携帯表示装置と閲覧管理サーバの電気的構成を示すブロック図
【図９】閲覧管理システムの動作処理の手順を示すフローチャート
【図１０】警告後に携帯表示装置の表示部の表示及び記憶部の表示データを消去する場合の処理の手順を示すフローチャート
【図１１】パスワード入力によって警告を解除する場合の処理動作の手順を示すフローチャート
【符号の説明】
【０１１９】
１０…携帯表示装置、１２…装置本体、１４…表示部、１６…操作部、１８…外部接続端子、２０…カードスロット、２２…ケーブル、２４…メモリカード、２６…制御部、２８…記憶部、３０…ＧＰＳ、３２…タイマ、３４…カードリーダ、３６…通信部、１００…携帯表示装置、１０２…無線通信部、２００…閲覧管理サーバ、２０２…ＣＰＵ、２０４…ＲＡＭ、２０６…ＲＯＭ、２０８…ハードディスク装置（ＨＤＤ）、１２０…ＣＤ−ＲＯＭ装置、２１２…無線通信部
【図１】
2006227517.tif 000003
【図２】
2006227517.tif 000004
【図３】
2006227517.tif 000005
【図４】
2006227517.tif 000006
【図５】
2006227517.tif 000007
【図６】
2006227517.tif 000008
【図７】
2006227517.tif 000009
【図８】
2006227517.tif 000010
【図９】
2006227517.tif 000011
【図１０】
2006227517.tif 000012
【図１１】
2006227517.tif 000013